(57)【要約】【課題】本発明は図案を変更できるテーブルクロスを開示した。【解決手段】テーブルクロス主体を含み、前記テーブルクロス主体の一端には上下に伸びている第一空きチャンバが設置され、前記第一空きチャンバと前記テーブルクロス主体の外側との間には第一回転軸が回転できるように設置され、本発明の図案を変更できるテーブルクロスは運動エネルギーの利用率が高く、実用性が高く、色々な場面に適用でき、同時に、本発明の装置は操作が簡単であり、整合性が高く、電磁の干渉が少なく、図案を変換する精度が高く、使用寿命が長い。【選択図】図１
2020175101.tif 000002
【特許請求の範囲】
【請求項１】
テーブルクロス主体を含み、前記テーブルクロス主体の一端には上下に伸びている第一空きチャンバが設置され、前記第一空きチャンバと前記テーブルクロス主体の外側との間には第一回転軸が回転できるように設置され、前記第一回転軸の中にはディスプレー切換装置が設置され、前記ディスプレー切換装置は手で所要の図案まで切り換えることができ、前記第一空きチャンバの一端にはチップ機構が設置され、前記チップ機構の中には様々な画像情報が貯蔵され、前記第一空きチャンバの片側には第二空きチャンバが設置され、前記第二空きチャンバの片側には第三空きチャンバが連通するように設置され、前記第三空きチャンバの片側には第四空きチャンバが連通するように設置され、前記第三空きチャンバの中心のところには第一固定ブロックが固定的に設置され、前記第一固定ブロックと前記第一空きチャンバとの間には磁場変換装置が設置され、前記磁場変換装置は図案を変える時の所要の磁場に変換でき、前記第四空きチャンバの頂端には第一スライド溝が連通するように設置され、前記第一スライド溝と前記第三空きチャンバとの間には回転図案変更装置が設置され、前記回転図案変更装置はテーブルクロスを一周回転させて図案を変更でき、前記ディスプレー切換装置は前記第一回転軸を含み、前記第一回転軸の片側にはハンドルが固定的に設置され、前記第一回転軸のもう一つの側には第二固定ブロックが固定的に設置され、前記第二固定ブロックの中には複数組の投影プラスチックシートが設置され、前記第二固定ブロックの外側には螺旋盤が固定的に設置され、前記螺旋盤の外面には前記投影プラスチックシートに対応した複数組の第一導電シートが設置され、前記第二固定ブロックの片側には右方へ開口した凹溝が設置され、前記第一空きチャンバの右端壁には第二スライド溝が連通するように設置され、前記第二スライド溝にはばねにより前記凹溝の中に挿し込むことができる第一スライダが連結され、前記第二スライド溝の片側には投影ランプが設置され、前記第一空きチャンバのもう一つの側には前記投影ランプの位置に対応した投影ガラスが設置され、前記投影ガラスの頂端の前記第一空きチャンバの片側には第一通電接点が固定的に設置されていることを特徴とする図案を変更できるテーブルクロス。
【請求項２】
前記磁場変換装置は前記チップ機構を含み、前記チップ機構は前記第一空きチャンバの片側に位置している複数組の電気制御チップを含み、各組の前記電気制御チップの一端には前記第一導電シートと電気的に接続されている第二通電接点が連結され、各組の前記電気制御チップの間には絶縁層が設置され、複数組の前記電気制御チップには第二導電シートが連結され、前記第四空きチャンバの中には駆動モータと動力が伝達できるように連結されているネジロッドが回転できるように設置され、ネジ山により前記ネジロッドには第二スライダがスライドできるように設置され、前記第二スライダが前記第四空きチャンバの中に位置しており、前記第一固定ブロックの底端の前記第三空きチャンバの中には前記第二スライダと固定的に連結されている第三スライダがスライドできるように設置され、前記第三スライダの中には複数組の第三通電接点が設置され、複数組の前記第三通電接点が接点ドットマトリックスを形成し、前記第三スライダの中には複数組の前記第三通電接点を連結した第三通電シートが設置され、前記第三通電シートと前記第二通電シートとの間が第一通電導線により第二通電導線と電気的に接続され、前記第一固定ブロックの中には複数組の電磁石が設置され、複数組の前記電磁石が前記接点ドットマトリックスの位置に対応する電磁ドットマトリックスを形成することを特徴とする請求項１に記載の図案を変更できるテーブルクロス。
【請求項３】
前記回転図案変更装置は前記第三空きチャンバを含み、前記第一固定ブロックの頂端の前記第三空きチャンバの中には第二回転軸が回転できるように設置され、前記第二回転軸の後側にはギヤが固定的に設置され、前記第二回転軸の前側には第三固定ブロックが固定的に設置され、前記第三固定ブロックの頂面には第一永久磁石が固定的に設置され、前記第三空きチャンバの頂端には透明ゴムが設置され、前記透明ゴムの中には鉄屑溶液が設置され、前記透明ゴムの底面には前記第一永久磁石と互いに吸引し合う第二永久磁石が固定的に設置され、前記第三空きチャンバの片側端壁には第三スライド溝が連通するように設置され、前記第三スライド溝の中には前記第三空きチャンバに伸びている第四スライダがスライドできるように設置され、前記第四スライダの頂面には前記ギヤと噛み合っているラックが固定的に設置され、前記第一スライド溝の中には第五スライダがスライドできるように設置され、前記第五スライダと前記第四スライダとの間には液圧パイプが伝動できるように設置され、前記第五スライダと前記第二スライダとの間には連結アームが固定的に連結されていることを特徴とする請求項１に記載の図案を変更できるテーブルクロス。
【発明の詳細な説明】
【技術分野】
【０００１】
本発明は卓上用具分野を取り上げて、具体的には図案を変更できるテーブルクロスである。
【背景技術】
【０００２】
周知のように、人々が家具を選択する時にいつも部屋の内装のテーマと合わせて家具の組み合わせを行う必要があり、一部のテーブルクロスはただ装飾品だけとして使用され、従来のテーブルクロスの図案が単一であり、図案を変更しようとすると、様々なテーブルクロスを買う必要があり、同時に色が単一なテーブルクロスとして、図案の変更が特に重要であり、例えば、古典的な内装に合わせて水墨画風のテーブルクロスを使用する時、図案が単一であると飽きやすい。  
そのため、上記の問題を解決するために図案を変更できるテーブルクロスを設計する必要があり、図案の変更を実現すると同時に、設備の実用性が高い。
【先行技術文献】
【特許文献】
【０００３】
【特許文献１】中国特許出願公開第106473524号明細書
【発明の概要】
【発明が解決しようとする課題】
【０００４】
本発明は図案を変更できるテーブルクロスを提供し、従来技術における上記問題を解決することを目的とする。
【課題を解決するための手段】
【０００５】
本発明は以下の技術プランを通じて実現される：本発明の図案を変更できるテーブルクロスは、テーブルクロス主体を含み、前記テーブルクロス主体の一端には上下に伸びている第一空きチャンバが設置され、前記第一空きチャンバと前記テーブルクロス主体の外側との間には第一回転軸が回転できるように設置され、前記第一回転軸の中にはディスプレー切換装置が設置され、前記ディスプレー切換装置は手で所要の図案まで切り換えることができ、前記第一空きチャンバの一端にはチップ機構が設置され、前記チップ機構の中には様々な画像情報が貯蔵され、前記第一空きチャンバの片側には第二空きチャンバが設置され、前記第二空きチャンバの片側には第三空きチャンバが連通するように設置され、前記第三空きチャンバの片側には第四空きチャンバが連通するように設置され、前記第三空きチャンバの中心のところには第一固定ブロックが固定的に設置され、前記第一固定ブロックと前記第一空きチャンバとの間には磁場変換装置が設置され、前記磁場変換装置は図案を変える時の所要の磁場に変換でき、前記第四空きチャンバの頂端には第一スライド溝が連通するように設置され、前記第一スライド溝と前記第三空きチャンバとの間には回転図案変更装置が設置され、前記回転図案変更装置はテーブルクロスを一周回転させて図案を変更でき、前記ディスプレー切換装置は前記第一回転軸を含み、前記第一回転軸の片側にはハンドルが固定的に設置され、前記第一回転軸のもう一つの側には第二固定ブロックが固定的に設置され、前記第二固定ブロックの中には複数組の投影プラスチックシートが設置され、前記第二固定ブロックの外側には螺旋盤が固定的に設置され、前記螺旋盤の外面には前記投影プラスチックシートに対応した複数組の第一導電シートが設置され、前記第二固定ブロックの片側には右方へ開口した凹溝が設置され、前記第一空きチャンバの右端壁には第二スライド溝が連通するように設置され、前記第二スライド溝にはばねにより前記凹溝の中に挿し込むことができる第一スライダが連結され、前記第二スライド溝の片側には投影ランプが設置され、前記第一空きチャンバのもう一つの側には前記投影ランプの位置に対応した投影ガラスが設置され、前記投影ガラスの頂端の前記第一空きチャンバの片側には第一通電接点が固定的に設置されている。
【０００６】
好ましくは、前記磁場変換装置は前記チップ機構を含み、前記チップ機構は前記第一空きチャンバの片側に位置している複数組の電気制御チップを含み、各組の前記電気制御チップの一端には前記第一導電シートと電気的に接続されている第二通電接点が連結され、各組の前記電気制御チップの間には絶縁層が設置され、複数組の前記電気制御チップには第二導電シートが連結され、前記第四空きチャンバの中には駆動モータと動力が伝達できるように連結されているネジロッドが回転できるように設置され、ネジ山により前記ネジロッドには第二スライダがスライドできるように設置され、前記第二スライダが前記第四空きチャンバの中に位置しており、前記第一固定ブロックの底端の前記第三空きチャンバの中には前記第二スライダと固定的に連結されている第三スライダがスライドできるように設置され、前記第三スライダの中には複数組の第三通電接点が設置され、複数組の前記第三通電接点が接点ドットマトリックスを形成し、前記第三スライダの中には複数組の前記第三通電接点を連結した第三通電シートが設置され、前記第三通電シートと前記第二通電シートとの間が第一通電導線により第二通電導線と電気的に接続され、前記第一固定ブロックの中には複数組の電磁石が設置され、複数組の前記電磁石が前記接点ドットマトリックスの位置に対応する電磁ドットマトリックスを形成する。
【０００７】
好ましくは、前記回転図案変更装置は前記第三空きチャンバを含み、前記第一固定ブロックの頂端の前記第三空きチャンバの中には第二回転軸が回転できるように設置され、前記第二回転軸の後側にはギヤが固定的に設置され、前記第二回転軸の前側には第三固定ブロックが固定的に設置され、前記第三固定ブロックの頂面には第一永久磁石が固定的に設置され、前記第三空きチャンバの頂端には透明ゴムが設置され、前記透明ゴムの中には鉄屑溶液が設置され、前記透明ゴムの底面には前記第一永久磁石と互いに吸引し合う第二永久磁石が固定的に設置され、前記第三空きチャンバの片側端壁には第三スライド溝が連通するように設置され、前記第三スライド溝の中には前記第三空きチャンバに伸びている第四スライダがスライドできるように設置され、前記第四スライダの頂面には前記ギヤと噛み合っているラックが固定的に設置され、前記第一スライド溝の中には第五スライダがスライドできるように設置され、前記第五スライダと前記第四スライダとの間には液圧パイプが伝動できるように設置され、前記第五スライダと前記第二スライダとの間には連結アームが固定的に連結されている。
【発明の効果】
【０００８】
以上により、本発明の図案を変更できるテーブルクロスは運動エネルギーの利用率が高く、実用性が高く、色々な場面に適用でき、同時に、本発明の装置は操作が簡単であり、整合性が高く、電磁の干渉が少なく、図案を変換する精度が高く、使用寿命が長い。
【図面の簡単な説明】
【０００９】
説明しやすいために、本発明は以下の具体的な実施例及び付図により詳しく説明する。
【００１０】
【図１】図１は本発明の図案を変更できるテーブルクロスの全体構成模式図
【図２】図２は図１の中のＡ−Ａの構成模式図
【図３】図３は図１の中のＢの拡大構成模式図
【図４】図４は図１の中のＣの拡大構成模式図
【発明を実施するための形態】
【００１１】
本発明書に開示した全ての特徴、或いは開示した全ての方法、過程中のステップは、互いに排斥する特徴或いはステップ以外に、いかなる方式で組み合わせることができる。
【００１２】
以下に図１〜４を交えて本発明について詳しく説明する。便利に叙述するために、後文に出る方位を下記の通りに規定する：後文に出る上下左右前後方向は図１本体の投影関係の上下左右前後方向と一致する。
【００１３】
図１〜４を参照し、本発明の図案を変更できるテーブルクロスは、テーブルクロス主体１０を含み、前記テーブルクロス主体１０の一端には上下に伸びている第一空きチャンバ１２が設置され、前記第一空きチャンバ１２と前記テーブルクロス主体１０の外側との間には第一回転軸１５が回転できるように設置され、前記第一回転軸１５の中にはディスプレー切換装置が設置され、前記ディスプレー切換装置は手で所要の図案まで切り換えることができ、前記第一空きチャンバ１２の一端にはチップ機構が設置され、前記チップ機構の中には様々な画像情報が貯蔵され、前記第一空きチャンバ１２の片側には第二空きチャンバ２３が設置され、前記第二空きチャンバ２３の片側には第三空きチャンバ４２が連通するように設置され、前記第三空きチャンバ４２の片側には第四空きチャンバ３３が連通するように設置され、前記第三空きチャンバ４２の中心のところには第一固定ブロック３１が固定的に設置され、前記第一固定ブロック３１と前記第一空きチャンバ１２との間には磁場変換装置が設置され、前記磁場変換装置は図案を変える時の所要の磁場に変換でき、前記第四空きチャンバ３３の頂端には第一スライド溝３６が連通するように設置され、前記第一スライド溝３６と前記第三空きチャンバ４２との間には回転図案変更装置が設置され、前記回転図案変更装置はテーブルクロスを一周回転させて図案を変更でき、前記ディスプレー切換装置は前記第一回転軸１５を含み、前記第一回転軸１５の片側にはハンドル１６が固定的に設置され、前記第一回転軸１５のもう一つの側には第二固定ブロック５６が固定的に設置され、前記第二固定ブロック５６の中には複数組の投影プラスチックシート５５が設置され、前記第二固定ブロック５６の外側には螺旋盤５７が固定的に設置され、前記螺旋盤５７の外面には前記投影プラスチックシート５５に対応した複数組の第一導電シート５４が設置され、前記第二固定ブロック５６の片側には右方へ開口した凹溝１７が設置され、前記第一空きチャンバ１２の右端壁には第二スライド溝２０が連通するように設置され、前記第二スライド溝２０にはばね１９により前記凹溝１７の中に挿し込むことができる第一スライダ１８が連結され、前記第二スライド溝２０の片側には投影ランプ１３が設置され、前記第一空きチャンバ１２のもう一つの側には前記投影ランプ１３の位置に対応した投影ガラス１４が設置され、前記投影ガラス１４の頂端の前記第一空きチャンバ１２の片側には第一通電接点１１が固定的に設置されている。
【００１４】
有益的には、前記磁場変換装置は前記チップ機構を含み、前記チップ機構は前記第一空きチャンバ１２の片側に位置している複数組の電気制御チップ５２を含み、各組の前記電気制御チップ５２の一端には前記第一導電シート５４と電気的に接続されている第二通電接点５３が連結され、各組の前記電気制御チップ５２の間には絶縁層５１が設置され、複数組の前記電気制御チップ５２には第二導電シート５０が連結され、前記第四空きチャンバ３３の中には駆動モータ２７と動力が伝達できるように連結されているネジロッド２８が回転できるように設置され、ネジ山２９により前記ネジロッド２８には第二スライダ３０がスライドできるように設置され、前記第二スライダ３０が前記第四空きチャンバ３３の中に位置しており、前記第一固定ブロック３１の底端の前記第三空きチャンバ４２の中には前記第二スライダ３０と固定的に連結されている第三スライダ２４がスライドできるように設置され、前記第三スライダ２４の中には複数組の第三通電接点２６が設置され、複数組の前記第三通電接点２６が接点ドットマトリックスを形成し、前記第三スライダ２４の中には複数組の前記第三通電接点２６を連結した第三通電シート２５が設置され、前記第三通電シート２５と前記第二通電シート５０との間が第一通電導線２１により第二通電導線２２と電気的に接続され、前記第一固定ブロック３１の中には複数組の電磁石３２が設置され、複数組の前記電磁石３２が前記接点ドットマトリックスの位置に対応した電磁ドットマトリックスを形成し、これにより、前記電気制御チップ５２が通電した後で電気信号を前記接点ドットマトリックスの中で形成される図案に対応する通電ドットチャートまで伝送し、そして前記電磁ドットマトリックスと協働して図案に対応する電磁図を形成する。
【００１５】
有益的には、前記回転図案変更装置は前記第三空きチャンバ４２を含み、前記第一固定ブロック３１の頂端の前記第三空きチャンバ４２の中には第二回転軸４５が回転できるように設置され、前記第二回転軸４５の後側にはギヤ４１が固定的に設置され、前記第二回転軸４５の前側には第三固定ブロック４３が固定的に設置され、前記第三固定ブロック４３の頂面には第一永久磁石４４が固定的に設置され、前記第三空きチャンバ４２の頂端には透明ゴム４８が設置され、前記透明ゴム４８の中には鉄屑溶液４７が設置され、前記透明ゴム４８の底面には前記第一永久磁石４４と互いに吸引し合う第二永久磁石４６が固定的に設置され、前記第三空きチャンバ４２の片側端壁には第三スライド溝３５が連通するように設置され、前記第三スライド溝３５の中には前記第三空きチャンバ４２に伸びている第四スライダ３９がスライドできるように設置され、前記第四スライダ３９の頂面には前記ギヤ４１と噛み合っているラック４０が固定的に設置され、前記第一スライド溝３６の中には第五スライダ３７がスライドできるように設置され、前記第五スライダ３７と前記第四スライダ３９との間には液圧パイプ３８が伝動できるように設置され、前記第五スライダ３７と前記第二スライダ３０との間には連結アーム３４が固定的に連結され、これにより、前記磁場変換装置が電磁変換を完成した後、本発明装置がギヤとラックとの協働により、テーブルクロスを連動させて図案を変更する。
【００１６】
以下、出願人は付図１−４及び上記の本出願の図案を変更できるテーブルクロスの具体的な構成を参照してその使用方法を詳しく紹介する：
【００１７】
本発明の設備はテーブルクロスの図案を変更する前に、投影ガラス１４から投影ランプ１３と投影プラスチックシート５５とが協働して生成した図案のサムネイルを観察でき、図案を変更する時、ハンドル１６を回転させ、ハンドル１６が第一回転軸１５により第二固定ブロック５６と螺旋盤５７とを連動させて回転させ、ハンドル１６を回転させると同時に投影ガラス１４を観察し、所要の図案が出る時、第一通電シート５４が第一通電接点１１と所要の図案に対応する電気制御チップ５２と連通し、電気制御チップ５２が電気信号を第三通電接点２６の中まで伝送し、通電した後の接点ドットマトリックスが図案に対応する通電ドットチャートを形成する。
【００１８】
そして、駆動モータ２７を始動し、駆動モータ２７がネジロッド２８とネジ山２９により第二スライダ３０を連動させて上へスライドさせ、第二スライダ３０が第三スライダ２４を連動させて上へスライドさせ、第三スライダ２４が上へスライドして接点ドットマトリックスと電磁ドットマトリックスとを協働させ、電磁ドットマトリックスが図案に対応した電磁ドットマトリックスを形成し、同時に第二スライダ３０が連結アーム３４により第五スライダ３７を押し、第五スライダ３７が液圧パイプ３８により第四スライダ３９を連動させてスライドさせ、第四スライダ３９がギヤ４１を連動させてスライドさせ、ギヤ４１がスライドして第三固定ブロック４３を連動させて百八十度回転させ、第三固定ブロック４３が第一永久磁石４４と第二永久磁石４６とにより透明ゴム４８と鉄屑溶液４７とをを連動させて百八十度回転させ、この時、鉄屑溶液４７と電磁ドットマトリックスとが互いに吸引し合い、鉄屑溶液４７の中の鉄屑が所要の図案を形成する。
【００１９】
鉄屑溶液４７が図案を形成した後、駆動モータ２７が逆方向へ回転し、接点ドットマトリックスが電磁ドットマトリックスから離脱し、図案を形成した鉄屑溶液４７が第二永久磁石４６の吸引のもとで第二永久磁石４６に近接して図案を固定し、同時に設備が初期状態に復帰し、透明ゴム４８が再び百八十度回転してテーブルクロス主体１０の頂面に位置し、設備の図案の変換が完成する。
【００２０】
以上により、本発明の図案を変更できるテーブルクロスは運動エネルギーの利用率が高く、実用性が高く、色々な場面に適用でき、同時に、本発明の装置は操作が簡単であり、整合性が高く、電磁の干渉が少なく、図案を変換する精度が高く、使用寿命が長い。
【００２１】
以上に述べたのはただ本発明の具体的な実施方式で、しかし本発明の保護範囲はここに限らないである。全部の創造的な労働を通じなく思いついた変化と取替は本発明の保護範囲にカバーされる。
【図１】
2020175101.tif 000003
【図２】
2020175101.tif 000004
【図３】
2020175101.tif 000005
【図４】
2020175101.tif 000006